(57)【要約】【課題】ユーザに負担をかけることなくストーリー性及びオリジナリティーのある電子アルバムを自動的に作成可能にする。【解決手段】サーバからユーザ端末に対して順次撮影指示を与え（ステップＳ１２）、ユーザに撮影を実行させ、その撮影した画像が添付された電子メールを順次システムサーバに返信させる（ステップＳ５８）。ここで、前記撮影指示は、複数の撮影ポイント又は撮影対象の複数の選択肢をもっており、ユーザは複数の選択肢の中から好みの撮影ポイント又は撮影対象を選択する（ステップＳ５４）。サーバは、ユーザ端末から返信された画像がどの撮影指示の、どの選択肢を選択して撮影された画像かによってアルバム文データベースから対応するアルバム文を選択する（ステップＳ１６）。そして、受信した各画像と各画像ごとに選択したアルバム文とに基づいて電子アルバムを作成する。【選択図】      図２
2006238190.tif 000002
【特許請求の範囲】
【請求項１】
サーバから撮影ポイント又は撮影対象の複数の選択肢をもった第１回目、第２回目、…、第ｎ回目の撮影指示をユーザ端末に順次送信する工程と、
前記ユーザ端末が受信した前記第１回目、第２回目、…、第ｎ回目の撮影指示ごとに設定された複数の選択肢の中から所望の撮影ポイント又は撮影対象を選択し、その選択した撮影ポイント又は撮影対象の画像をそれぞれ撮影する工程と、
前記第１回目、第２回目、…、第ｎ回目の撮影指示ごとにそれぞれ撮影した画像とともに、前記複数の選択肢の中からの選択結果を示す付加情報を前記サーバに返信する工程と、
少なくとも前記第１回目、第２回目、…、第ｎ回目の撮影指示ごとの複数の選択肢に対応するアルバム文を記憶するアルバム文データベースから前記画像とともに受信した付加情報に基づいて対応するアルバム文を選択する工程と、
前記受信した各画像と各画像ごとに選択されたアルバム文とに基づいて電子アルバムを作成する工程と、
を含むことを特徴とする電子アルバム作成方法。
【請求項２】
前記電子アルバムを作成する工程は、複数の画像合成位置及びアルバム文領域を有するアルバムテンプレートの前記画像合成位置に前記受信した各画像を合成するとともに、前記アルバム文領域に各画像ごとに選択されたアルバム文を挿入して作成することを特徴とする請求項１に記載の電子アルバム作成方法。
【請求項３】
前記電子アルバムを作成する工程は、前記アルバムテンプレートに複数の画像及びアルバム文を時系列に配列して作成することを特徴とする請求項２に記載の電子アルバム作成方法。
【請求項４】
前記アルバム文を選択する工程は、前記受信した画像を解析し、その解析結果に応じたアルバム文を前記アルバム文データベースから選択することを特徴とする請求項１乃至３のいずれかに記載の電子アルバム作成方法。
【請求項５】
前記作成された電子アルバムを印刷する工程を有することを特徴とする請求項１乃至４のいずれかに記載の電子アルバム作成方法。
【請求項６】
撮影ポイント又は撮影対象の複数の選択肢をもった第１回目、第２回目、…、第ｎ回目の撮影指示をユーザ端末に順次送信する送信手段と、
前記ユーザ端末から前記第１回目、第２回目、…、第ｎ回目の撮影指示ごとにそれぞれ撮影された画像とともに、前記複数の選択肢の中からの選択結果を示す付加情報を受信する受信手段と、
少なくとも前記第１回目、第２回目、…、第ｎ回目の撮影指示ごとの複数の選択肢に対応するアルバム文を記憶するアルバム文データベースと、
前記画像とともに受信した付加情報に基づいて前記アルバム文データベースから対応するアルバム文を選択するアルバム文選択手段と、
前記受信した各画像と各画像ごとに選択されたアルバム文とに基づいて電子アルバムを作成するアルバム作成手段と、
を備えたことを特徴とする電子アルバム作成装置。
【請求項７】
前記アルバム作成手段は、複数の画像合成位置及びアルバム文領域を有するアルバムテンプレートを記憶する記憶手段を含み、前記アルバムテンプレートの画像合成位置に前記受信した各画像を合成するとともに、前記アルバム文領域に各画像ごとに選択されたアルバム文を挿入して電子アルバムを作成することを特徴とする請求項６に記載の電子アルバム作成装置。
【発明の詳細な説明】
【技術分野】
【０００１】
本発明は電子アルバム作成方法及び装置に係り、特にユーザが撮影した複数枚の画像及びアルバム文から自動的に電子アルバムを作成する電子アルバム作成方法及び装置に関する。
【背景技術】
【０００２】
従来、観光地、テーマパーク、遊園地、スポーツ施設等で撮影した画像とともに、その画像に関連する適切な画像や案内等のコンテンツを取得し、前記撮影した画像と、前記取得したコンテンツとを貼り付けた電子アルバムを作成する電子アルバム作成方法が提案されている（特許文献１）。
【０００３】
前記コンテンツの取得は、観光地等の施設に設けられたイベント情報出力手段からイベント識別情報（ＩＤ）を無線通信によって取得し、このイベントＩＤを撮影した画像に関連して記録しておき、その後、電子アルバム作成時に画像に関連づけて記録されたイベントＩＤに基づいてコンテンツ提供サイトからそのイベントＩＤに対応するコンテンツを取得するようにしている。
【特許文献１】特開２００２−３５８３１０号公報
【発明の開示】
【発明が解決しようとする課題】
【０００４】
ところで、特許文献１に記載の電子アルバム作成方法は、ユーザが撮影した画像の中から任意に選択した画像に基づいて電子アルバムを作成するため、自動的にストーリー性のある電子アルバムを作成することができないという問題がある。
【０００５】
また、観光地等で撮影した画像に対して、その観光地等で取得したイベントＩＤに対応する画像やテキスト情報のコンテンツを貼り付けた電子アルバムを自動的に作成することができるが、例えば、同じ場所で異なる被写体（人物、風景等）を撮影した場合、その撮影した画像に対して同じコンテンツが添付され、被写体ごとにその被写体に適したコンテンツ（アルバム文）を貼り付けることができないという問題がある。
【０００６】
一方、予め主催者が設定したフォトラリーポイントで撮影を行わせ、その撮影した写真からアルバムを作成する場合、自動的にストーリー性のあるアルバムを作成することができるが、この場合には画一的なアルバムになるという問題がある。
【０００７】
本発明はこのような事情に鑑みてなされたもので、自動的にストーリー性のある電子アルバムを作成することができ、特にユーザごとにオリジナリティーのある電子アルバムを作成することができる電子アルバム作成方法及び装置を提供することを目的とする。
【課題を解決するための手段】
【０００８】
前記目的を達成するために請求項１に係る電子アルバム作成方法は、サーバから撮影ポイント又は撮影対象の複数の選択肢をもった第１回目、第２回目、…、第ｎ回目の撮影指示をユーザ端末に順次送信する工程と、前記ユーザ端末が受信した前記第１回目、第２回目、…、第ｎ回目の撮影指示ごとに設定された複数の選択肢の中から所望の撮影ポイント又は撮影対象を選択し、その選択した撮影ポイント又は撮影対象の画像をそれぞれ撮影する工程と、前記第１回目、第２回目、…、第ｎ回目の撮影指示ごとにそれぞれ撮影した画像とともに、前記複数の選択肢の中からの選択結果を示す付属情報を前記サーバに返信する工程と、少なくとも前記第１回目、第２回目、…、第ｎ回目の撮影指示ごとの複数の選択肢に対応するアルバム文を記憶するアルバム文データベースから前記画像とともに受信した付属情報に基づいて対応するアルバム文を選択する工程と、前記受信した各画像と各画像ごとに選択されたアルバム文とに基づいて電子アルバムを作成する工程と、を含むことを特徴としている。
【０００９】
即ち、サーバからユーザ端末に対して順次撮影指示を与え、ユーザに撮影を実行させ、その撮影した画像を順次サーバに返信（アップロード）させる。ここで、前記撮影指示は、複数の撮影ポイント又は撮影対象の複数の選択肢をもっており、ユーザは複数の選択肢の中から好みの撮影ポイント又は撮影対象を選択できるようになっている。即ち、サーバから撮影指示を受け取るが、ユーザの嗜好等によって所望の撮影ポイント又は撮影対象を適宜選択できるようになっている。このユーザの選択結果を示す付属情報は、撮影した画像とともにサーバに返信される。
【００１０】
一方、サーバ側は、第１回目、第２回目、…、第ｎ回目の撮影指示ごとの複数の選択肢に対応するアルバム文を記憶するアルバム文データベースを有しており、ユーザ端末から返信された画像がどの撮影指示の、どの選択肢を選択して撮影された画像かによって前記アルバム文データベースから対応するアルバム文を選択する。そして、受信した各画像と各画像ごとに選択したアルバム文とに基づいて電子アルバムを作成するようにしている。これにより、自動的にストーリー性のある電子アルバムを作成することができ、特に各撮影指示ごとに選択したユーザの選択結果が画像及びアルバム文に反映されるため、オリジナリティーのある電子アルバムを作成することができる。
【００１１】
請求項２に示すように請求項１に記載の電子アルバム作成方法において、前記電子アルバムを作成する工程は、複数の画像合成位置及びアルバム文領域を有するアルバムテンプレートの前記画像合成位置に前記受信した各画像を合成するとともに、前記アルバム文領域に各画像ごとに選択されたアルバム文を挿入して作成することを特徴としている。
【００１２】
請求項３に示すように請求項２に記載の電子アルバム作成方法において、前記電子アルバムを作成する工程は、前記アルバムテンプレートに複数の画像及びアルバム文を時系列に配列して作成することを特徴としている。これにより、日記形式の電子アルバムを作成することができる。
【００１３】
請求項４に示すように請求項１乃至３のいずれかに記載の電子アルバム作成方法において、前記アルバム文を選択する工程は、前記受信した画像を解析し、その解析結果に応じたアルバム文を前記アルバム文データベースから選択することを特徴としている。例えば、受信した画像が人物を含んでいる場合に、その人物の顔の特徴量を抽出して表情認識を行い、その表情に対応するコメントを追加したり、受信した画像に写っているオブジェクトを認識してそのオブジェクトに対応するコメントを追加することができる。
【００１４】
請求項５に示すように請求項１乃至４のいずれかに記載の電子アルバム作成方法において、前記作成された電子アルバムを印刷する工程を有することを特徴としている。
【００１５】
請求項６に係る電子アルバム作成装置は、撮影ポイント又は撮影対象の複数の選択肢をもった第１回目、第２回目、…、第ｎ回目の撮影指示をユーザ端末に順次送信する送信手段と、前記ユーザ端末から前記第１回目、第２回目、…、第ｎ回目の撮影指示ごとにそれぞれ撮影された画像とともに、前記複数の選択肢の中からの選択結果を示す付属情報を受信する受信手段と、少なくとも前記第１回目、第２回目、…、第ｎ回目の撮影指示ごとの複数の選択肢に対応するアルバム文を記憶するアルバム文データベースと、前記画像とともに受信した付属情報に基づいて前記アルバム文データベースから対応するアルバム文を選択するアルバム文選択手段と、前記受信した各画像と各画像ごとに選択されたアルバム文とに基づいて電子アルバムを作成するアルバム作成手段と、を備えたことを特徴としている。
【００１６】
請求項７に示すように請求項６に記載の電子アルバム作成装置において、前記アルバム作成手段は、複数の画像合成位置及びアルバム文領域を有するアルバムテンプレートを記憶する記憶手段を含み、前記アルバムテンプレートの画像合成位置に前記受信した各画像を合成するとともに、前記アルバム文領域に各画像ごとに選択されたアルバム文を挿入して電子アルバムを作成することを特徴としている。
【発明の効果】
【００１７】
本発明によれば、ユーザに負担をかけることなくストーリー性及びオリジナリティーのある電子アルバムを自動的に作成することができる。
【発明を実施するための最良の形態】
【００１８】
以下添付図面に従って本発明に係る電子アルバム作成方法及び装置の好ましい実施の形態について詳説する。
【００１９】
図１は本発明に係る電子アルバム作成方法が適用されたシステムの実施の形態を示すシステム構成図である。
【００２０】
同図に示すように、このシステムは、遊園地やテーマパークなどの一定の施設において、ユーザが所有するカメラ付き携帯電話機（以下、「ユーザ端末」という）１０で撮影した画像を所定のアルバムテンプレートに合成して電子アルバムを作成するサービスのシステムとして運用される。
【００２１】
上記システムは、主としてユーザ端末１０と、システムサーバ２０と、プリントサーバ３０と、プリンタ４０とから構成され、ユーザ端末１０とシステムサーバ２０とは、携帯通信ネットワーク５０及びインターネット６０を介して通信することができ、システムサーバ２０とプリントサーバ３０とはインターネット６０を介して通信することができるようになっている。
【００２２】
ユーザは、このサービスの運営者から撮影指示にしたがってユーザ端末１０で施設内の展示物などを撮影し、撮影した画像を電子メールに添付して所定のメールアドレスに送信する。
【００２３】
システムサーバ２０は、そのメールアドレスに送信された電子メールを受信し、受信した電子メールに添付された画像を所定のアルバムテンプレートに貼り付けて電子アルバムを作成する。作成された電子アルバムは、ユーザからのプリント注文に応じて施設内に設置されたプリントサーバ３０を介してプリンタ４０に送られ、印画紙にプリントされる。
【００２４】
ユーザは、この電子アルバム用の画像の撮影からプリント注文までの一連の処理をシステムサーバ２０から逐次送信されてくる電子メールの指示にしたがって行う。即ち、このシステムのサービスを開始すると、ユーザ端末１０には、逐次システムサーバ２０からユーザが行うべき処理の内容が記載された電子メールが送信され、ユーザは、このシステムサーバ２０から送信された電子メール本文に記載された指示にしたがって行動することにより、所望の電子アルバムの作成処理を行うことができる。
【００２５】
このとき、システムサーバ２０から送信される電子メール本文に記載される撮影指示は、撮影ポイント又は撮影対象の複数の選択肢をもっている。即ち、１回の撮影指示の中には複数の選択肢が含まれており、ユーザの選択行為によってユーザの嗜好を撮影する画像に反映させることができるようになっている。
【００２６】
ユーザ端末１０は、カメラ機能と電子メール機能とＷＷＷブラウズ機能とを備えた一般的な携帯電話機で構成されており、携帯通信ネットワーク５０を介してインターネット６０に接続される。
【００２７】
システムサーバ２０は、会員登録手段２１、認証手段２２、アルバム作成手段２３、及びアルバム文選択手段２４等を有するサーバ本体２５と、アルバム文データベース（ＤＢ）２６、会員ＤＢ２７、指示文ＤＢ２８、及びアルバムテンプレートＤＢ２９を有している。
【００２８】
アルバム文ＤＢ２６は、アルバムテンプレートのアルバム文領域に挿入する各種のアルバム文を管理しており、各アルバム文は、アルバムテンプレートの種類、各アルバムテンプレートに貼り付ける画像の第１回目、第２回目、…、第ｎ回目の撮影指示（アルバム文領域の位置に対応）、及び各撮影指示ごとの複数の撮影ポイント又は撮影対象の複数の選択肢に対応して管理している。その他、怒り／喜び／楽しい／哀しい／オブジェクト名などのコメントも管理している。
【００２９】
会員ＤＢ２７は、このシステムのサービスを受けるユーザのユーザ情報（ユーザＩＤ、パスワード、住所、氏名、電話番号、電子メールアドレス等）を登録、管理している。
【００３０】
指示文ＤＢ２８は、各アルバムテンプレートに貼り付ける画像のアルバムテンプレートごとの撮影指示（第１回目、第２回目、…、第ｎ回目の撮影指示）を示す指示文を管理しており、システムサーバ２０は、前記指示文ＤＢ２８から適宜の指示文を読み出してユーザ端末１０に電子メールで通知する。
【００３１】
アルバムテンプレートＤＢ２９は、アルバムのテーマやコースごとにアルバムテンプレートを保存管理している。
【００３２】
サーバ本体２５は、ＷＷＷ（World Wide Web）サーバ、及びメールサーバの機能を有し、また、アルバム文ＤＢ２６、会員ＤＢ２７、指示文ＤＢ２８、及びアルバムテンプレートＤＢ２９から必要な情報を取得し、アルバムテンプレートにユーザ端末１０から送信され画像を貼り付けるとともに、アルバム文ＤＢ２６から各画像に適したアルバム文を選択してアルバム文領域に挿入して電子アルバムを作成する。
【００３３】
システムサーバ２０で作成された電子アルバムは、ユーザ情報とともにインターネット６０を介してプリントサーバ３０に送られる。プリントサーバ３０は、受信した電子アルバムをプリンタ４０に出力し、電子アルバムを印画紙にプリントさせる。プリントされたアルバムは、ユーザ情報で管理され、ユーザに郵送され又は手渡しされる。
【００３４】
次に、上記構成のシステムのサービス開始からプリント作成までの処理を順を追って説明する。
【００３５】
尚、以下においては、万国博覧会（万博）会場で撮影した画像から電子アルバムを作成する場合を例に説明する。
【００３６】
まず、サービス開始に先立って、ユーザは所定の手順に従ったユーザ登録を行う。ユーザは、自己が所有するユーザ端末１０のブラウジング機能を利用して、システムサーバ２０内のＷＷＷサーバが提供するホームページにアクセスする。サービスを利用する場合、ユーザはユーザ端末１０を操作してユーザ登録を行う。ユーザ登録が完了すると、電子アルバム作成のサービスを受けることができるようになる。
【００３７】
電子アルバム作成サービスを受ける場合には、ユーザ端末１０により電子アルバム作成サービス用のＷｅｂページにアクセスし、ユーザ情報を入力してログインする。
【００３８】
ログイン後に電子アルバムのフォトラリーのコース選択のＷｅｂページにアクセスし、提示された複数のコースから所望のコースを選択する。このコース選択により、電子アルバム用のアルバムテンプレートが決定されるとともに、撮影指示の指示文が決定される。
【００３９】
このようにしてユーザ登録の処理が完了し、選択したコース選択等が終了すると、電子アルバム作成サービスが開始される。
【００４０】
次に、サービスが開始されてから電子アルバムの作成・プリントまでの処理を、図２に示すフローチャートにしたがって説明する。
【００４１】
図２において、サービスが開始されると、システムサーバ２０は、撮影指示No. ＝ｉを１（ｉ＝１）にセットする（ステップＳ１０）。続いて、ｉ番目の撮影指示の電子メールをユーザ端末１０に送信する（ステップＳ１２）。
【００４２】
ユーザ端末１０に送信される電子メールの一例を以下に示す。
＜「万博日記」あなたの決断で日記が変わる！
あなたは、南ゲートより万博会場に入る。
【００４３】
あまりの会場の広さに熱気に驚きをかくせない…
そこで、あなたはメールからのメッセージを待つ。＞
＜『マンモスの待つグローバル・コモン』
『会場を一望できるグローバル・ループ』
あなたはどちらかに行き、今感じている気持ちを素直にカメラに写せ…＞
尚、１回の撮影指示内には、必ず撮影ポイント又は撮影対象の複数の選択肢が含まれており、ユーザは自分の意志で複数の選択肢の中からいずれかの撮影ポイント又は撮影対象を選択する必要がある。
【００４４】
ユーザ端末１０はメール受信待ち状態となっており（ステップＳ５０）、システムサーバ２０からｉ番目の撮影指示の電子メールが送信されると、これを受信する（ステップＳ５２）。
【００４５】
ユーザはｉ番目の撮影指示にしたがって複数の選択肢の中から所望の撮影ポイント又は撮影対象を選択する（ステップＳ５４）。そして、選択した撮影ポイントに行き、又は選択した撮影対象を探して撮影を行う（ステップＳ５６）。上記の電子メールの例では、例えば、ユーザ端末１０の画面上で『マンモスの待つグローバル・コモン』を選択した場合には、『マンモス』が展示されている会場に行って『マンモス』を撮影する。
【００４６】
このようにして撮影された画像は、ｉ番目の撮影指示の電子メールに対する返信メールに添付してシステムサーバ２０に送信される（ステップＳ５８）。また、前記送信される画像には、ステップＳ５４で選択した選択結果を示す付属情報が付加されて送信される。
【００４７】
ユーザ端末１０から画像が添付された返信メールを受信すると、アルバム作成手段２３は、そのユーザ端末１０のユーザ用に準備したアルバムテンプレートのｉ番目の画像合成位置にｉ番目の撮影指示にしたがって撮影された画像を合成する（ステップＳ１４）。
【００４８】
続いて、アルバム文選択手段２４は、返信されたメールの画像に付属する選択ポイント（複数の選択肢の中からの選択結果を示す付属情報）及び画像に応じたアルバム文をアルバム文ＤＢ２６から検索する（ステップＳ１６）。即ち、アルバム文ＤＢ２６から選択ポイント別に用意されたアルバム文を検索する。また、受信した画像を解析し、その解析結果に応じたアルバム文をアルバム文ＤＢ２６から検索する。例えば、画像が人物を含んでいる場合に、その人物の顔の特徴量を抽出して表情認識を行い、その表情に対応するアルバム文（怒り／喜び／楽しい／哀しい）を検索したり、画像に写っているオブジェクトを認識し、そのオブジェクト名を検索する。
【００４９】
アルバム作成手段２３は、上記のようにして選択されたアルバム文をアルバムテンプレートのｉ番目のアルバム文領域に挿入する（ステップＳ１８）。
【００５０】
ｉ番目の撮影指示は、ｎ番目（最後）の撮影指示であったか否かを判別し（ステップＳ２０）、ｉ＝ｎでない場合には、ｉを１だけインクリメントし（ステップＳ２２）、ステップＳ１２に戻る。
【００５１】
一方、ｉ＝ｎの場合には、全ての撮影指示にしたがった撮影が終了し、各撮影指示にしたがって撮影された画像のアルバムテンプレートへの合成や選択されたアルバム文の挿入が終了して電子アルバムが完成する（ステップＳ２４）。
【００５２】
ユーザは、アルバム確認用のＷｅｂページにアクセスすることにより、完成した自分の電子アルバムをユーザ端末１０で確認することができ、また、電子メールでプリント注文を行うことができる。
【００５３】
システムサーバ２０は、ユーザ端末１０からの電子メールでプリント注文を受け付けると、プリンタ４０でのアルバム印刷処理を実行させる（ステップＳ２６）。即ち、システムサーバ２０は、プリント注文を受け付けたユーザの電子アルバムとともに、そのユーザのユーザ情報をインターネット６０を介してプリントサーバ３０に送信する。この送信された電子アルバムは、施設内に設置されたプリンタ４０に送られ、印画紙にプリントされる。また、プリントサーバ３０に送られたユーザ情報は、プリントしたアルバムをユーザに引き渡す際の情報として利用される。
【００５４】
図３は上記のようにして自動的に作成された電子アルバムを印画紙にプリントしたプリントイメージを示す図である。
【００５５】
図３に示すアルバムによれば、システムサーバ２０からは６回の撮影指示が送られ、ユーザは各撮影指示ごとに撮影ポイントや撮影対象を選択して撮影した様子が分かる。また、撮影した画像やアルバム文は、撮影指示順（撮影順）に時系列に並べられている。
【００５６】
これにより、ユーザは、システムサーバ２０からの電子メールによる撮影指示にしたがって撮影し、その撮影した画像をメール送信するだけで、ストーリー性のあるオリジナリティーのあるアルバムを入手することができる。また、返信する電子メールにコメントを入れることで、そのコメントをアルバム文領域に挿入することもできる。
【００５７】
尚、この実施の形態では、ユーザ端末としてカメラ付き携帯電話機を用いてユーザ画像の撮影、Ｗｅｂページの閲覧、電子メールの送受信を行うようにしているが、画像の撮影手段、Ｗｅｂページの閲覧手段、及び電子メールの送受信手段は、これに限定されるものではない。例えば、デジタルカメラで画像を撮影し、その画像データをノートパソコンやＰＤＡ等に取り込み、これらの機器を使用してＷｅｂページの閲覧及び電子メールの送受信を行うようにしてもよい。
【００５８】
また、この実施の形態では、作成した電子アルバムを印画紙に印画してユーザに提供するようにしているが、電子データとしてユーザに提供するようにしてもよい。例えば、作成した電子アルバムをＣＤ−ＲＯＭ等に格納して提供したり、電子メールに添付して提供したり、所定のＷｅｂページからダウンロードさせて提供させたりするようにしてもよい。
【００５９】
更に、ある撮影指示に対してユーザがどの撮影ポイント又は撮影対象を選択したかに応じて、次の撮影指示を変更するようにしてもよい。また、ユーザから送信されてきた画像のピント状態を検出し、ピンボケの場合は、その旨をユーザに電子メールで通知し、画像の変更を促す、又は自動修正することが好ましい。
【００６０】
また、一般に電子メールに添付されて送信される画像には、Ｅｘｉｆ形式の画像ファイルのように、撮影日時や撮影時の露出条件（シャッター速度、絞り値、感度）、ＧＰＳ情報、機種名等の所定の撮影情報がタグ形式で付加されている場合があるので、画像ファイルに付加された撮影情報に応じてアルバム文を変更するようにしてもよい。
【００６１】
更に、ユーザ情報として性別や年代等の情報を取得することで、撮影指示の指示文を変えたり、アルバム文を変えるようにしてもよい。
【００６２】
更にまた、定期的に各ユーザごとの画像の送信状態をチェックし、未送信の場合には、画像の撮影、送信を促す旨の電子メールをユーザ端末に送信するようにしてもよい。
【００６３】
また、本実施の形態では、画像を電子メールに添付して送信しているが、画像を送信する手段は、これに限定されるものではない。たとえば、ＦＴＰ（File Transfer Protocol）やＨＴＴＰ（HyperText Transfer Protocol ）などを利用して、画像を所定の送信先に送信するようにしてもよい。
【００６４】
更に、この実施の形態では、本発明に係る電子アルバム作成方法を万博会場で実施する場合を例に説明したが、この他に遊園地や動物園、水族館等のテーマパーク、観光地などで実施することもできる。
【図面の簡単な説明】
【００６５】
【図１】図１は本発明に係る電子アルバム作成方法が適用されたシステムの実施の形態を示すシステム構成図である。
【図２】図２は本発明に係る電子アルバム作成方法によるサービスが開始されてから電子アルバムの作成・プリントまでの処理を示すフローチャートである。
【図３】図３は本発明に係る電子アルバム作成方法によって作成された電子アルバムを印画紙にプリントしたプリントイメージを示す図である。
【符号の説明】
【００６６】
１０…ユーザ端末（カメラ付き携帯電話機）、２０…システムサーバ、２３…アルバム作成手段、２４…アルバム文選択手段、２６…アルバム文ＤＢ、２７…会員ＤＢ、２８…指示文ＤＢ、２９…アルバムテンプレートＤＢ、３０…プリントサーバ、４０…プリンタ、５０…携帯通信ネットワーク、６０…インターネット  
【図１】
2006238190.tif 000003
【図２】
2006238190.tif 000004
【図３】
2006238190.tif 000005